【事件の表示】
　平成　７年特許願第　３１３９２号「ディスクプレーヤー」拒絶査定に対する審判事件［平成８年８月９日出願公開、特開平８−２０３２０７］について、次のとおり審決する。
【結　論】
　本件審判の請求は、成り立たない。
【理　由】
１．手続の経緯
　本願は、平成７年１月２７日の出願であって、平成１３年１０月１１日付けで拒絶査定がなされ、平成１３年１１月１５日受付で審判請求がなされるとともに、同年１１月２７日受付けで手続補正がなされたものである。
　
２．平成１３年１１月２７日受付の手続補正についての補正却下の決定
　
　［補正却下の決定の結論］
　　平成１３年１１月２７日受付の手続補正を却下する。
　
　［理由］　
（１）補正後の本願発明
　本件補正により、特許請求の範囲の請求項１は、
「【請求項１】ディスクを回転駆動するためのスピンドルモータと、該スピンドルモータの速度制御部と、前記ディスクに記録されている情報を読み取るための光ピックアップと、該光ピックアップをディスクの径方向に移動させるためのスライドモータと、前記光ピックアップから入力された信号を元の信号に戻す信号処理部と、該信号処理部及びスライドモータを制御するシステム制御部と、コントロール部とを備えたディスクプレーヤーにおいて、
前記コントロール部は、ディスク上の光ピックアップが対向している現在トラックから移動しようとする目標トラックまでのトラックの移動本数を算出し、その算出した移動本数をランニングカウンターに設定すると共に、その設定した移動本数から光ピックアップが移動することにより読み取ったトラックの本数をカウントダウンして、その値がゼロになったときに割り込み信号を発するように構成され、前記システム制御部は、前記割り込み信号を受信するまでスライドモータを駆動して、光ピックアップを径方向に移動させると共に、その移動中に、前記速度制御部を制御してスピンドルモータを目標トラックに対応して加減速させるように構成されており、前記速度制御部は、サーチ時に2つのオンオフスイッチのうちいずれかをオンして電源電圧Ｖｋ又は−Ｖｋが各スイッチのオンの間選択的に前記スピンドルモータに出力される回路であり、かつ、前記コントロール部は、ディスク上の光ピックアップが対向している現在トラックでのディスク回転数と、目標トラックでのディスク回転数との回転数差を算出し、その算出した回転数差に基づいて前記オンオフスイッチのオン時間を算出すると共に、光ピックアップをディスクの内周側へ移動させるのか否かを判定し、この判定結果に基づいて前記オンオフスイッチのうちいずれかを、算出した時間だけオンすることを特徴とするディスクプレーヤー。」と補正された。
　
　上記補正は「前記速度制御部は、サーボ制御時にドライブ信号Ｖ１をドライブ出力信号Ｖ２として前記スピンドルモータに出力し」を削除している。この記載のうち「サーボ制御時」の語句が、発明の詳細な説明の項には記載が無いことから、さらに詳細な説明の記載を検討すると、「速度制御部１９は、読み取られた同期信号によって、スピンドルモータ４を速度制御するためのドライブ信号を出力するものであり、通常再生時には、ディスク２の線速度が一定となるようにスピンドルモータ４を回転制御し、サーチ時には、スピンドルモータ４の速度を、目標トラックの回転数に合わせるように加減速制御する。」（【００１０】の抜粋）および、「【００１５】　上記構成において、サーチ時には、スピンドルモータ４のサーボ制御を行わないので、スイッチ２７はオフとなる。また、サーチ時において、スピンドルモータ４を加速させる時にはスイッチ２８をオフとすると共に、スイッチ２９をオンとし、スピンドルモータ４を減速させる時にはスイッチ２８をオンとすると共に、スイッチ２９をオフとする。更に、通常再生の場合には、スイッチ２７をオンとすると共に、スイッチ２８，２９をオフとする。」の記載によると、「サーボ制御時」は「通常再生時」のことであり、特許請求の範囲の前半の「前記速度制御部を制御してスピンドルモータを目標トラックに対応して加減速させるように構成されており」と重複する記載である。したがって、前記の削除は、重複した記載を削除するものであり、明りょうでない記載の釈明であって、特許法第１７条の２第４項第４号に該当する。
　また、「サーボ制御時以外」を「サーチ時」とする補正は、発明の詳細な説明の記載（前記【００１５】参照）と整合を取るための補正であり、明りょうでない記載の釈明であって、特許法第１７条の２第４項第４号に該当する。
　さらに、「オンオフスィッチ」を、「２つのオンオフスィッチのうちいずれかオン」「光ピックアップをディスクの内周側へ移動させるのか否かを判定し、この判定結果に基づいて前記オンオフスィッチのいずれかを、算出した時間だけオン」とする補正は、請求項１に記載した発明の構成に欠くことができない事項について限定を付加するものであって、特許法第１７条の２第３項第２号に該当する。
　
　そこで、本件補正後の前記請求項１に記載された発明（以下、「本願補正発明」という。）が特許出願の際独立して特許を受けることができるものであるか（特許法第１７条の２第４項において準用する同法第１２６条第３項の規定に適合するか）について以下に検討する。
　
（２）引用例
　原査定の拒絶の理由に引用された特開昭５９−１１５８０号公報（以下、「引用例」という。）には、図面とともに、
「第１図は従来のレコードプレーヤの制御装置の一例のブロック系統図を示す。同図中、１はレコード盤２に裏面に設けられているピットを再生する例えば光学式のピックアップで、キースイツチ等による動作条件受付や後述のピックアップ変位サーボ出力等を供給されるシステムコントロール回路３、駆動回路４の出力にて回転されるＤＣモータによりレコード盤２の半径方向に直線状に変位する構成とされている。」（第１頁右欄第１２行〜第２０行）、
「第４図は本発明になるレコードプレーヤの制御装置の一実施例のブロック系統図を示し、図面中、第１図と同一構成部分には同一番号を付す。同図中、１５はステッピングモータで、第５図（Ａ）、（Ｂ）に示す互いに９０°位相の異なる回転角に対応した第６図（Ａ）に示す進み位相及び同図（Ｂ）に示す遅れ位相の２つの正弦波信号ａ、ｂにて駆動される構成とされており、こららの信号ａ、ｂの組合せによる正方向回転イ、逆方向回転ロが決定される。
　計数回路１５は、システムコントロール回路１６からの例えば２ビットの加算／減算駆動指示信号により加算モード、減算モードを決定され、この決定されたモードにおいて基準位置検出器１１からのリセット信号によりリセットされた時点を基準としてカウントを開始し、このカウント数に応じた位相の第６図（Ａ）、（Ｂ）に示すステッピングモータ駆動信号ａ，ｂを出力する一方、このカウント数に応じた大きさの制御信号を出力する構成とされている。つまり、第７図に示す如く、モータ駆動信号ａ，ｂのピーク・ピーク値に応じた時間をＴとすると、カウント数に応じた周期ｔ０，ｔ０，ｔ１・・・にＨレベルをもつパルス信号ｃを第８図に示す積分回路にて積分し、周期ｔ０，ｔ０，ｔ１・・・に応じた大きさのレベルをもつ駆動信号ａ，ｂが取出される。
　目標値設定回路１９は、アクセス時、システムコントロール回路１６から出力される目標番地に応じた制御信号を供給され、目標番地に応じた回転数を以てレコード盤２を回転させるための制御信号を出力するものである。比較回路２０は、アクセス時、計数回路１５からの現在番地に応じた制御信号と目標値設定回路１９からの目標番地に応じた制御信号とを比較して比較誤差信号を取出すものである。」（第２頁右下欄第９行〜第３頁右上欄第３行）、
「次に、アクセス時における制御について説明する。この時、システムコントロール回路１６からの動作モード切換信号により、計数回路１５は入力２を、回転速度設定回路１８は入力４を受付けるように夫々切換えられる。
　目標値設定回路１９からは目標番地に対応した制御信号が取出され、回転速度設定回路１８及び比較回路２０に供給される。この制御信号は、計数回路１５におけるカウントによりピックアップ１が目標番地に変位した時における回転数を以てレコード盤２を回転させるための計数回路１５から出力される制御信号に対応している。比較回路２０において、目標値設定回路１９からの目標値制御信号と計数回路１５からの現在値制御信号とが比較され、この比較により比較誤差信号が取出されて計数回路１５及びシステムコントロール回路１６に供給される。
　計数回路１５はこの比較誤差信号に対応したカウント数に至る迄カウントを加算或いは減算され、目標番地に対応したカウント数に応じた位相の駆動信号が出力される。これにより、ステッピングモータ１４はこの駆動信号に基いて目標番地迄強制的に回転され、ピックアップ１は目標番地の再生位置迄強制的に変位せしめられる。
　これと同時に、回転速度設定回路１８からは目標設定回路１９からの制御信号により目標番地に応じた速度制御信号Ｖｉが取出される。回転速度制御回路１３において、レコード盤２からの現在の回転速度信号Ｖｏと回転速度設定回路１８からの目標番地に対応した速度制御信号Ｖｉとが比較され、これにより、レコード盤２はピックアップ１の目標番地再生位置に応じた回転数を以て回転するように強制的に回転数を可変される。従って、レコード盤に記録されている番地を再生し乍らピックアップを変位し、この変位位置に応じた回転数を以てレコード盤を回転させる従来装置に比して短時間で目標番地に応じた回転数を得ることができる。
　計数回路１５のカウント数が目標番地のカウント数に一致すると、比較回路２０からの信号により計数回路１５はカウントを停止されると共に、システムコントロール回路１６はアクセス終了を検知する。」（第３頁右下欄第５行〜第４頁右上欄第７行）と記載されている。これらの記載によれば、
　引用例には、
「レコード盤を回転駆動するためのモータと、回転速度制御回路と、回転速度設定回路と、目標値設定回路と、レコード盤面の盤面に設けられているビットを再生する光学式のピックアップと、ピックアップをレコード盤の半径方向に直線状に移動させるモータと、システムコントロール回路とを備えたレコードプレーヤにおいて、
　アクセス時に、回転速度制御回路は目標設定回路から出力を受付けるように切換えられ、目標設定回路から目標番地に対応した制御信号が取出されれ、回転速度制御回路に供給されて、レコード盤の現在の回転速度信号と回転速度設定回路からの目標番地に対応した速度制御信号とが比較され、これによりレコード盤を回転するためモータが、目標番地再生位置に応じた回転数を以て回転するように強制的に回転数を可変されることを特徴とするレコードプレーヤ。」が記載されている。
　
（３）対比
　そこで、引用例に記載された事項と本願補正発明の構成とを対比すると、
　引用例に記載の「レコード盤」「光学式のピックアップ」「アクセス時」「現在番地」「目標番地」は、
　それぞれ本願発明の「ディスク」「光ピックアップ」「サーチ時」「現在トラック」「目標トラック」に相当し、
　引用例のレコード盤を回転駆動するモータは、本願補正発明のスピンドルモータと同様に記録媒体を回転させ、引用例のステッピングモータは光学式の光ピックアップをレコード盤の半径方向に移動させる点で、本願補正発明のスライドモータに相当するから、
　　両者は、
「ディスクを回転駆動するためのモータと、前記ディスクに記録されている情報を読み取るための光ピックアップと、該光ピックアップをディスクの径方向に移動させるためのモータとを備えたディスクプレーヤーにおいて、
　光ピックアップを径方向に移動させると共に、その移動中に、モータを目標トラックに対応して加減速させるように構成されていることを特徴とするディスクプレーヤー。」の点で一致し、以下の点で相違する。
　
　本願補正発明は、ディスクを回転するためのモータがスピンドルモータであり、光ピックアップをディスクの径方向に移動するためのモータがスライドモータであって、前記光ピックアップから入力された信号を元の信号に戻す信号処理部と、該信号処理部及びスライドモータを制御するシステム制御部と、コントロール部とを備え、前記コントロール部は、ディスク上の光ピックアップが対向している現在トラックから移動しようとする目標トラックまでのトラックの移動本数を算出し、その算出した移動本数をランニングカウンターに設定すると共に、その設定した移動本数から光ピックアップが移動することにより読み取ったトラックの本数をカウントダウンして、その値がゼロになったときに割り込み信号を発するように構成され、前記システム制御部は、前記割り込み信号を受信するまでスライドモータを駆動し、前記速度制御部を制御してピンドルモータを目標トラックに対応して加減速させるように構成されており、前記速度制御部は、サーチ時に2つのオンオフスイッチのうちいずれかをオンして電源電圧Ｖｋ又は−Ｖｋが各スイッチのオンの間選択的に前記スピンドルモータに出力される回路であり、かつ、前記コントロール部は、ディスク上の光ピックアップが対向している現在トラックでのディスク回転数と、目標トラックでのディスク回転数との回転数差を算出し、その算出した回転数差に基づいて前記オンオフスイッチのオン時間を算出すると共に、光ピックアップをディスクの内周側へ移動させるのか否かを判定し、この判定結果に基づいて前記オンオフスイッチのうちいずれかを、算出した時間だけオンするように構成されているのに対して、引用例はこのような構成を備えていない点。
　
（４）判断
　ディスクを回転するためのモータがスピンドルモータであり、光ピックアップをディスクの径方向に移動するためのモータがスライドモータで、前記光ピックアップから入力された信号を元の信号に戻す信号処理部と、該信号処理部及びスライドモータを制御するシステム制御部と、コントロール部を備え、前記システム制御部は、前記速度制御部を制御し、前記速度制御部は、サーチ時に2つのオンオフスイッチのうちいずれかをオンして電源電圧Ｖｋ又は−Ｖｋが各スイッチのオンの間選択的に前記スピンドルモータに出力される回路であり、かつ、前記コントロール部は、ディスク上の光ピックアップが対向している現在トラックでのディスク回転数と、目標トラックでのディスク回転数との回転数差を算出し、その算出した回転数差に基づいて前記オンオフスイッチのオン時間を算出すると共に、光ピックアップをディスクの内周側へ移動させるのか否かを判定し、この判定結果に基づいて前記オンオフスイッチのうちいずれかを、算出した時間だけオンすることを特徴とするディスクプレーヤーは、実願平３−３７８８１号（実開平４−１２６３５１号）のＣＤ−ＲＯＭに記載されているように、周知である。
　この周知例には、以下の事項が図面とともに記載されている。
「【００１６】
　ＣＤ−ＲＯＭドライブ回路（以下ドライブという）１は、ディスク２を保持するディスクホルダ３と、ディスク２を回転駆動するためのスピンドルモータ４と、ディスク２の情報を読み取るための光ピックアップ５と、音響ディジタル信号処理部６と、ＣＤ−ＲＯＭディジタル信号処理部７と、光ピックアップ５のフォーカス及びトラッキング制御を行うフォーカス・トラッキング制御部８と、マイクロコンピュータを有するシステム制御部９と、ホストコンピュータ１０と通信するためのインタフェース１１とを主に有している。
　【００１７】
　ディスク２には、図３に示すような情報ピットＰが、スパイラル状に点在して形成されている。スピンドルモータ４は、音響ディジタル信号処理部６からの制御信号によって、ディスク２を線速度一定で回転駆動する。光ピックアップ５は、ディスク２にスポット光を照射し、その反射光を受光して情報を読み取るためのものであり、ディスク２の径方向に移動可能となっている。また、この光ピックアップ５には、対物レンズ（図示せず）が設けられている。この対物レンズは、光ピックアップ５のスポット光を収束するために設けられたものである。この対物レンズは、ディスク２の径方向及びディスク２への接離方向に移動可能となっている。これらの移動により、トラッキング制御及びフォーカス制御が行われ、スポット光が常にトラック上を追尾するとともに所定径のスポット光として収束されるようになっている。これらの制御は、フォーカス・トラッキング制御部８によって行われる。
　【００１８】
　音響ディジタル信号処理部６は、光ピックアップ３からの信号が入力されるＥＦＭ復調部１２と、データを記憶するＲＡＭ１３と、ＲＡＭ１３へのデータの書き込み及び読み出しを制御するためのアドレス制御部１４と、誤り訂正符号（ＣＩＲＣ）によってデータの誤り訂正を行う誤り訂正部１５と、スピンドルモータ４の速度制御を行うための速度制御部１６とを有している。ＥＦＭ復調部１２は、８ビットデータを１４ビットに変調してディスク２に記録したデータを元の８ビットのデータに復調するものである。また、速度制御部１６は、読み取られた同期信号によって、スピンドルモータ４を速度制御するためのドライブ信号を出力するものであり、通常再生時には、ディスク２の線速度が一定となるようにスピンドルモータ４を回転制御し、サーチ時には、スピンドルモータ４の速度を、目標トラックの回転数に合わせるように加減速制御する。なお、アドレス制御部１４は、ＲＡＭ１３内のデータにより、インタリーブ（並べ換え）されて記録されたデータを元の順に戻す作業（デ・インタリーブ）も行っている。誤り訂正部１５の出力は、オーディオ信号として外部に出力されるとともに、ＣＤ−ＲＯＭディジタル信号処理部７に入力されている。
　【００１９】
　ＣＤ−ＲＯＭディジタル信号処理部７は、同期検出部１７と、データを格納するためのＲＡＭ１８と、ＲＡＭ１８へのデータの書き込み及び読み出しを制御するためのＲＡＭ制御部１９と、ＣＤ−ＲＯＭ固有のＥＣＣ(ErrorCheckCode)及びＥＤＣ(ErrorDectectingCode)等により誤り訂正を行う誤り訂正部２０とを有している。同期検出部１７は、音響ディジタル信号処理部６で処理されたデータのうちの同期信号部分を検出するものである。また、この同期検出部１７では、同期信号の検出結果によって、記録時に施されたスクランブル処理が解かれるようになっている。なお、ＲＡＭ制御部１９では、ＲＡＭ１８に格納されたデータにより、再生データ内のヘッダーアドレスがチェックされるようになっている。
　【００２０】
　図２は、速度制御部１６の主要部の構成を示す回路図である。この速度制御部１６は、オペアンプ３０を有している。スピンドルモータ４を駆動するためのドライブ入力信号ＶDINは、スイッチ３１及び抵抗３６（抵抗値Ｒ1）を介してオペアンプ３０の反転入力端子に入力されている。スイッチ３１と抵抗３６との中間ノードには、スイッチ３２と抵抗４０（Ｒ5）との直列回路及びスイッチ３３と抵抗４１（Ｒ6）との直列回路がそれぞれ接続されている。抵抗４０の一端には電源電圧ＶKが、また抵抗４１の一端には電源電圧−ＶKがそれぞれ印加されている。オペアンプ３０の非反転入力端子には、一端を接地した抵抗３８（Ｒ3）の他端が接続されている。またオペアンプ３０の出力端子は、抵抗３７（Ｒ2）を介して反転入力端子にフィードバック接続されている。オペアンプ３０の出力は、ドライブ出力信号ＶDOUTとして出力される。
　【００２１】
　このような回路においては、サーチ時にはスピンドルモータ４のサーボ制御を行わないので、スイッチ３１はオフとなる。また、サーチ時におけるディスク２の加速時にはスイッチ３２をオフ、スイッチ３３をオンとし、減速時にはスイッチ３２をオン、スイッチ３３をオフとする。また、通常再生の場合は、スイッチ３１をオン、スイッチ３２及びスイッチ３３をオフとする。
　【００２２】
　次にこのように構成されたドライブ１の制御動作について説明する。図４は、システム制御部１７の概略制御内容を示すフローチャートである。
　図示しない電源スイッチがオンされると、ステップＳ１ではＲＡＭ１３，１８の初期化、光ピックアップ５の初期位置への設定等の初期化が行われる。次にステップＳ２では、ディスク２がディスクホルダ３に装着されているか否かを判断する。ディスク２が装着されるのを待って、ステップＳ３に移行する。ステップＳ３では、フォーカス・トラッキング制御部８に対してフォーカスサーチを指示する。これにより、光ピックアップ５からディスク２に対して照射されるスポット光が所定径に収束させられる。このフォーカスサーチが終了すれば、ステップＳ４に移行してフォーカス・トラッキング制御部８に対してフォーカスサーボの開始を指示する。このフォーカスサーボは、ディスク２の面ぶれに追随して光ピックアップ５の対物レンズを上下動するためのものである。次にステップＳ５では、速度制御部１６に対してスピンドルキックを指示する。これにより、スピンドルモータ４にドライブ信号が与えられ、スピンドルキックが開始される。ステップＳ６では、フォーカス・トラッキング制御部８に対してトラッキングサーボのオンを指示する。このトラッキングサーボは、ディスク２上のトラックにスポット光が追随するように光ピックアップ５の対物レンズを径方向に移動させるものである。また、ステップＳ７では、速度制御部１６に対してスピンドルサーボのオンを指示する。スピンドルサーボは、ディスク２の線速度を一定にするように、径方向の位置に応じた速度でスピンドルモータ４をサーボ制御するものである。　
　【００２３】
　ステップＳ７でスピンドルサーボが開始されると、ステップＳ８に進む。ステップＳ８では、ディスク２の各ブロックの先頭に書き込まれた現在トラック情報を読み取り、ステップＳ９では、ディスク２の最内周に書き込まれたＴＯＣ(TableOfContents)と呼ばれるディスク２の目次にあたる情報をサーチして読み出し、それをシステム制御部９内のメモリに格納する。
　【００２４】
　次に、ステップＳ１０では所定時間の時間待ち（ポーズ）を行い、ステップＳ１１では、ホストコンピュータ１０からのコマンド入力を待つ。ホストコンピュータ１０からのコマンドが入力されると、ステップＳ１１からステップＳ１２に移行する。ステップＳ１２では、後述するコマンド処理を行い、ステップＳ１０に戻る。ステップＳ１１でコマンド入力がないときは、処理を終了する。
　【００２５】
　図５はステップＳ１２のコマンド処理の内容を示すフローチャートである。まず、ステップＳ２１では、ホストコンピュータ１０からのコマンドがサーチ動作を指示するものか否かを判定する。続いてステップＳ２２ではデータリード動作を指示するものであるか否かを判定する。ステップＳ２３では他の動作を指示するものか否かを判定する。
　【００２６】
　ステップＳ２１でサーチ動作を指示するコマンドであると判定された場合は、
ステップＳ２４に進む。ステップＳ２４ではサーチ処理を行いステップＳ２２に移行する。ステップＳ２２でデータリード動作を指示するコマンドであると判定された場合は、ステップＳ２５に進み、リード処理を行ってステップＳ２３に進む。ステップＳ２３で他の動作を指示するコマンドであると判定された場合はステップＳ２６に進み、他の処理を行ってメインルーチンに戻る。
　【００２７】
　図６はステップＳ２４のサーチ処理の内容を示すフローチャートである。
　まずステップＳ３１では、目標データが格納されたトラック（目標トラック）をＴＯＣを記憶したシステム制御部９内のメモリの内容によって確認し、それに基づき現在トラックから目標トラックまでの光ピックアップ５の移動距離を算出する。
　【００２８】
　移動距離の算出は、以下のようにして行われる。
　ＣＤ−ＲＯＭのトラックは、データ領域最内周のトラックからの経過時間によって定義されている。したがって、データ領域の最内周の半径をｒ1、現在位置の半径をｒ2、移動先の位置をｒ3とし、現在位置のトラックをＭＰ分ＳＰ秒ＴＰトラック、移動先のアドレスをＭＱ分ＳＱ秒ＴＱトラックとし、ディスクの記録線速度をｖ（mm／秒）とすると、
　【００２９】
　π×ｒ22−π×ｒ12＝ｖ×０．００１６×Ｐとなる。ただし、
　　　Ｐ＝ＭＰ×６０＋ＳＰ＋ＴＰ／７５
　　　０．００１６：トラックピッチしたがって、
　ｒ2＝（（ｖ×０．００１６×Ｐ＋π×ｒ12）／π）1/2となる。同様に、
　ｒ3＝（（ｖ×０．００１６×Ｑ＋π×ｒ12）／π）1/2となる。ただし、
　　　Ｑ＝ＭＱ×６０＋ＳＱ＋ＴＱ／７５したがって現在トラック位置（半径ｒ2）から移動先の目標トラック位置（半径ｒ3）までの移動距離Δｒは、
　Δｒ＝｜ｒ3−ｒ2｜となる。
　【００３０】
　続いてステップＳ３２では光ピックアップ５の移動時間Ｔ2を算出する。この移動時間Ｔ2は、ステップＳ３１で得られた移動距離Δｒを光ピックアップ５の移動速度で除算することによって求める。ステップＳ３３ではキック時間Ｔを算出する。このキック時間Ｔは、スピンドルモータ４を加減速する時間、すなわち、図２に示す速度制御部１６内のスイッチ３２またはスイッチ３３のオン時間である。
　【００３１】
　キック時間Ｔは下記のような式により算出する。
　現在トラック位置（半径ｒ2）でのディスク２の回転数はｖ／２πｒ2であり、また目標トラック位置でのディスク２の回転数はｖ／２πｒ3である。したがってこれらの間での回転数差ΔＮは、
　ΔＮ＝｜（ｖ／２π）×（１／ｒ2−１／ｒ3）｜となる。
　【００３２】
　ここで、ディスク２のキック中の加速度をωとすると、ωＴ＝ΔＮの関係が成立するようにキック時間Ｔを決める。つまり、
　Ｔ＝ΔＮ／ωとしてキック時間を求める。なお、この加速度ωはドライブ１の仕様で定まる定数である。
　このようにしてキック時間Ｔが算出されると、ステップＳ３４に移行し、フリーラン時間Ｔ1が算出される。このフリーラン時間Ｔ1は、移動時間Ｔ2からキック時間Ｔを引くことにより算出される。
　【００３３】
　ステップＳ３５では、フォーカス・トラッキング制御部８に対して光ピックアップ５の移動開始を指示する。ステップＳ３６ではその移動が内周側から外周側への移動か否かを判断する。ステップＳ３６で、内周側から外周側への移動ではないと判断された場合は、ステップＳ３７に移行する。ステップＳ３７では、スイッチ３１をオフさせてスピンドルサーボをオフするとともに、スイッチ３２をオフ、スイッチ３３をオンさせる。この各スイッチの制御により、スピンドルモータ４には、電圧ＶDOUT
　ＶDOUT＝（Ｒ2／（Ｒ1＋Ｒ6））ＶKが印加され、加速が開始される。次にステップＳ３８では、Ｔ時間経過したか否かを判断する。Ｔ時間経過するとステップＳ３９に移行し、スイッチ３３のオフを指示する。これにより、ディスク２の加速は終了する。」
「【００３７】
　一方、ステップＳ３６で内周側から外周側への移動と判断された場合は、ステップＳ５１に移行する。ステップＳ５１では、スイッチ３１をオフさせてスピンドルサーボをオフするとともに、スイッチ３２をオン、スイッチ３３をオンさせる。この各スイッチの制御により、スピンドルモータ４には、電圧ＶDOUT
　ＶDOUT＝−（Ｒ2／（Ｒ1＋Ｒ5））ＶKが印加され、減速が開始される。次にステップＳ５２では、Ｔ時間経過したか否かを判断する。Ｔ時間経過するとステップＳ５３に移行し、スイッチ３２のオフを指示する。これにより、ディスク２の減速は終了する。以降のステップＳ５４及びステップＳ５５は、前記ステップＳ４０及びステップＳ４１と同様であり、フリーランを行わせ、このフリーラン走行がＴ1時間経過した後にステップＳ４７に移行する。」
　
　また、ディスク上の光ピックアップが対向している現在トラックから移動しようとする目標トラックまでのトラックの移動本数を算出し、その算出した移動本数をランニングカウンターに設定すると共に、その設定した移動本数から光ピックアップが移動することにより読み取ったトラックの本数をカウントダウンして、その値がゼロになったときに割り込み信号が発され、前記割り込み信号を受信するまでスライドモータを駆動する構成も周知（特開昭６３−２１３４８６号公報、特開平６−５２６３８号公報、特開平６−２４３６０９号公報参照）であり、前記各周知例を前提とすれば、光学式ピックアップを径方向に移動させると共に、その移動中にモータを目標トラックに対応して加減速させる引用例のレコードプレーヤ（ディスクプレーヤ）において、スピンドルモータを加減速させるために、周知の手段によることは、当業者が容易に推考できることと認められる。
　
　さらに、本願補正発明が奏する効果を検討しても、引用例記載された事項及び周知例から十分に予測できる範囲のものと認められる。
　
（５）むすび
　以上のとおり、本件補正は、特許法第１７条の２第４項で準用する同法第１２６条第３項の規定に違反するものであるから、特許法第１５９条第１項で準用する特許法第５３条第１項の規定により却下すべきものである。
　
３．本願発明について
　平成１３年１１月２７日受付の手続補正は上記のとおり却下されたので、本願の請求項１に係る発明（以下、同項記載の発明を「本願発明」という。）は、平成１３年９月５日受付の手続補正書の特許請求の範囲の請求項１に記載された、以下のとおりのものである。
「【請求項１】ディスクを回転駆動するためのスピンドルモータと、該スピンドルモータの速度制御部と、前記ディスクに記録されている情報を読み取るための光ピックアップと、該光ピックアップをディスクの径方向に移動させるためのスライドモータと、前記光ピックアップから入力された信号を元の信号に戻す信号処理部と、該信号処理部及びスライドモータを制御するシステム制御部と、コントロール部とを備えたディスクプレーヤーにおいて、前記コントロール部は、ディスク上の光ピックアップが対向している現在トラックから移動しようとする目標トラックまでのトラックの移動本数を算出し、その算出した移動本数をランニングカウンターに設定すると共に、その設定した移動本数から光ピックアップが移動することにより読み取ったトラックの本数をカウントダウンして、その値がゼロになったときに割り込み信号を発するように構成され、前記システム制御部は、前記割り込み信号を受信するまでスライドモータを駆動して、光ピックアップを径方向に移動させると共に、その移動中に、前記速度制御部を制御してスピンドルモータを目標トラックに対応して加減速させるように構成されており、前記速度制御部は、サーボ制御時にドライブ信号Ｖ１をドライブ出力信号Ｖ２として前記スピンドルモータに出力し、サーボ制御時以外には、それぞれオンオフスイッチ２８、２９を介して電源電圧Ｖｋ又は−Ｖｋが各スイッチのオンの間前記スピンドルモータに出力される回路であり、かつ、前記コントロール部は、ディスク上の光ピックアップが対向している現在トラックでのディスク回転数と、目標トラックでのディスク回転数との回転数差を算出し、その算出した回転数差に基づいて前記オンオフスイッチ２８、２９のオン時間を算出し、この算出したオン時間に基づいて前記オンオフスイッチ２８、２９をオンすることを特徴とするディスクプレーヤー。」
　
（１）引用例
　原査定の拒絶の理由に引用された引用例、および、その記載事項は、前記「２．（２）」に記載したとおりである。
　
（２）対比・判断
　本願発明は、本願補正発明に「前記速度制御部は、サーボ制御時にドライブ信号Ｖ１をドライブ出力信号Ｖ２として前記スピンドルモータに出力し」を付加し、本願補正発明の「サーチ時」を「サーボ制御時以外」とするものであるが、前記「２．（１）」で検討したように、この点で実質的に特許請求の範囲は相違しない。
　また、本発明は、本願補正発明ににおける「オンオフスィッチ」の限定事項である「光ピックアップをディスクの内周側へ移動させるのか否かを判定し、この判定結果に基づいて」「２つのオンオフスィッチのうちいずれかオン」との構成を省いたものである。
　そうすると、本願発明の構成要件を全て含み、さらに他の構成要件を付加したものに相当する本願補正発明が、前記「２．（４）」に記載したとおり、引用例および周知例から基づいて当業者が容易に発明することができたものであるから、本願発明も、同様の理由により、引用例１および周知例に基づいて、当業者が容易に発明することができたものである。
　
（３）むすび
　以上のとおり、本願発明は、引用例に記載された発明および周知例に基づいて当業者が容易に発明することができたものであるので、特許法第２９条第２項の規定により特許を受けることができない。
　よって、結論のとおり審決する。